(57)【特許請求の範囲】
【請求項１】
広告、字句、絵画等のような情報を表示するためのデバイスであって、前記デバイスは、全体または一部が透明な前板（１；１６）を備え、
前記前板は、一対の必ず平行な側縁部（２，３）の間に少なくとも一部が湾曲するか、曲折した断面を有し、
また、前記前板（１；１６）の凹部側において前記平行な側縁部（２，３）の各々に沿って配置された第１及び第２の隣接部材（４，５；１７，１８）を有し、前記２つの隣接部材と、前板（１；１６）を支持面(２７)に立て掛けて支持するための支持手段（１９；３０；３３；４１〜４８）との間において、少なくとも１つの柔軟な表示板（６）を、固定された湾曲状態で前記前板とスナップする態様で拘束し、
前記２つの隣接部材は、前記前板（１；１６）の曲折側縁部を備える各表示板のためのグリップ縁部（４，５；１７，１８）である点、
および、
前記支持手段は、前記前板（１；１６）の前記グリップ縁部（４，５；１７，１８）と着脱可能に係合するように成形されている対向端部（２０，２１；３１，３２；３７，３８；４２，４３）を有する可撓性材料の支持部材を含み、前記支持部材は、前記前板の前記２つのグリップ縁部と両端部が撓んでスナップする係合するように、及び、前記前板の凹部側から遠ざかるように曲げられた前記支持部材の両端部間の前記支持部材の中間部分による前記前板（１，１６）の支持のために設けられている点、
を特徴とする情報を表示するためのデバイス。
【請求項２】
前記前板（１６）は、両グリップ縁部（１７，１８）の間の区域においてほぼ一様に湾曲し、前記グリップ縁部の少なくとも一つから離間した部位に、前記前板（１６）は湾曲部分（２２，２３）を備えるので、前記湾曲部分とグリップ縁部（１７，１８）の間の区域に、両グリップ縁部（１７，１８）の間に固定しようとする表示板（２６）の関連する縁部を受け入れるためのポケット(２４，２５)が形成される点を特徴とする請求項１記載のデバイス。
【請求項３】
前記前板（７；９；１２）は、曲折断面を得るために両グリップ縁部（４，５）と平行な１または複数の部位（８，１０，１１，１３，１４、１５）において、角度的に曲折される点を特徴とする請求項１記載のデバイス。
【請求項４】
前記支持部材は、両端部（２０，２１）の間でほぼＵ字状に曲折された金属ワイヤー（１９）からなる点を特徴とする請求項１〜３のいずれか１記載のデバイス。
【請求項５】
前記前板（１６）の前記両グリップ縁部（１７，１８）は、前記金属ワイヤー（１９）の両端部を受け入れて拘束するために、少なくとも１つの対をなす、または、対向するノッチ（２８，２９）を備える点を特徴とする請求項４記載のデバイス。
【請求項６】
前記支持部材（３０；３３；４１；４４〜４８）は、板形状部材であり、その対向する端部が、前記前板（１）の前記両グリップ縁部（４，５）と適切に係合するための互いに平行な端部縁部（３１，３２；３７，３８；４２，４３）である点を特徴とする請求項１〜３のいずれか１記載のデバイス。
【請求項７】
前記板形状部材（３０；３３；４１；４４〜４７）は、前記両グリップ縁部（４，５）に沿う方向における前記前板（１）の幅よりも小さい幅を備える点を特徴とする請求項６記載のデバイス。
【請求項８】
前記板形状部材（４８）は、前記両グリップ縁部（４，５）に沿う方向における前記前板（１）の幅に対応する幅を備える点を特徴とする請求項６記載のデバイス。
【請求項９】
前記支持部材（３３）は、必ずＵ字状の断面を備える支持ブラケットからなり、支持面、例えば、壁面に取りつけるための固定具（３４）が通過する孔を備える点を特徴とする請求項６〜８のいずれか１記載のデバイス。
【請求項１０】
前記支持部材（４１）は、前記支持部材（４１）の隣接部分に異なる角度（α，β）を形成する曲折端縁部（４２，４３）を備え、前記支持部材は、非対称な断面形状を備える点を特徴とする請求項６〜８のいずれか１記載のデバイス。
【請求項１１】
互いには係合しない前記前板（１）の対向側縁部および前記板形状部材（４８）の各端部に、端部カバー部材（５１）が配置され、前記前板（１）、前記板形状部材（４８）および前記端部カバー部材（５１）によって画定される閉じたスペース（５２）を提供する点を特徴とする請求項８記載のデバイス。
【請求項１２】
前記閉じたスペース（５２）の内部には、前記前板（１）によって拘束される表示板（６）を後方から照明するための光源（５３）が配置される点を特徴とする請求項１１記載のデバイス。
【発明の詳細な説明】
【０００１】
この発明は、一対の必ず平行な側縁部の間に少なくとも一部が湾曲するか、曲折した断面を備え、また、隣接部材と、前板を支持するための支持手段との間において、固定された湾曲状態で表示板を拘束するために、前板の凹部側に、平行な縁部のそれぞれ一つに沿って設けられた第一および第二の隣接部材を備える、全体または一部が透明な前記前板からなる、広告、字句、絵画等のような情報を表示するためのデバイスに関する。
【０００２】
この発明のデバイスは、表示しようとする情報を単純迅速な態様で、挿入し交換するためのニーズが存在する場合に使用することを特に意図する。このデバイスは、通常の枠組システムとしても、また、従来の看板システムと置換することを可能にするために、小さな戸と情報看板の組み合わせから、もっと大きな看板、や広告用ガラス製陳列ケースと発光管の組み合わせに到るすべてのシステムとしても、両方に使用することを意図する。
【０００３】
従来の看板とポスターのシステムは、表示しようとする「メッセージ」が板またはシート面に印刷されるか或いは描かれるか、裏板に装着された箔からなる態様で製作される。表示板は清潔で耐久性があるように見えるべきであるから、それに使用される材料も、印刷の方法も高価である。情報標識とポスターの製作はどちらも時間を要し、高価であって、これは通常、別の看板製作者やポスター画家によって行われる。看板やポスターが製作されると、「メッセージ」を交換することは時間を要し、しばしば困難である。更には、再使用できるシステムの部品はごく一部だけである。
【０００４】
その他のシステムは、異なる技術で枠組みシステム面または内に装着される手書き文字および／または記号(loose letters and/or symbols)の形態をなすモジュールを構成する。したがって、形態と表現を変形する可能性は限られており、そのようなシステムは、容易に失われてしまう多くの手操作部品を必要とし、比較的高価である。
【０００５】
通常の枠組システムは、メッセージが保護と綺麗な表面とを生じる透明なガラス板の背後に装着される態様で廉価な方法と材料で製作することができるので、前記の問題点の多くを解決することができる。表示しようとするメッセージは、ガラス板の背後において、背後部材の面またはpasse-partout内に装着される枠組み、或いは後の押圧板の利用によって、背後部材の面に装着される異種の技術によって、引き伸ばされ平滑化される。更に、使用済みのテープ、ピン、ステープル、バネシステム、クリップ等が存在する。これらのシステムの欠点は、多かれ少なかれ、内容の装着、交換が困難であることと、これらのシステムが、容易に失われるか、再使用が難しい数点の手操作の部品で構成される点である。更にまた、この技術はある特定の大きさを越えて使用することが困難になる。
【０００６】
表示デバイスの幾つかの変形が特許文献から知られる。すなわち、例えば、US特許第2,919,512号は、カードを表示するためのイーゼル状のホルダーを示しており、このホルダーはその背後において、カードを横方向に導入するための滑動溝を形成する対向フランジを備え、保持片が前記溝の一方または両方に配置される。
【０００７】
更に、US特許第4,270,288号は、複数の傾斜縁部を備える硬質で湾曲したプラスチック板と、この傾斜縁部の間の定位置でスナップ作動を行って、絵をバネ作用によって透明板に抗して押圧するクランプ部材とで形成される透明な絵画用の枠を開示する。
【０００８】
US特許第4,442,617号およびUS特許第4,545,140号は、写真、標識等を表示する他のタイプのデバイスを示す。
【０００９】
US特許第2,730,825号は、最初に説明したタイプのデバイスを示す。したがって、このデバイスは、タグすなわち値段標識を収容してこれを２つの隣接部材の間で柔らかい係合形態をなして保持して、前記タグが弧状の断面を有するように、一対の平行な側縁部の間において一様に湾曲した断面を備え、前記平行な側縁部のそれぞれに沿って凹部側に設けられた第一および第二の隣接部材を有する透明な部材の形態を有する前板で形成される。更にこのデバイスは、透明部材の上縁部から一体に垂れ下がる実質的に垂直な保持フランジを備え、前記フランジは、デバイスを装着しようとする棚の面に設けられた整合部材の間で適切にインターロックする。
【００１０】
この場合は、全く特別な目的、もっと特定して言えば、棚にマウントするための値段標識ホルダー用のデバイスのための問題である。隣接部材の間において一様に湾曲した前板と向き合って接するためには、値段標識は、正確に整合されなければならないか、または、それらが自立性を備え、前板と向き合って接することなく隣接部材の間で拘束されるような硬質の材料から製造されなければならない。このデバイスの構造は、融通性を欠いており、特定の使用分野に限定される。
【００１１】
別体の、すなわち手操作用の固定手段を使用することなく、また、工具などの便宜的な手段を使用せずに、表示しようとするメッセージを極めて容易迅速に交換することができる融通性のあるディスプレイを提供することがこの発明の１つの目的である。
【００１２】
この発明の別の目的は、製造コストを実質的に減少させるとともに、情報、広告、字句および絵画的な素材の表示を可能とし、前システムが再利用可能であり、ねじ、ピン、クリップ等の手操作用の部品を必要としないディスプレイシステムを提供することがこの発明の別の目的である。
【００１３】
この発明の更に別の目的は、例えば、メッセージを、壁面に吊り下げられるか、基盤面に自由に立ち上がった姿勢で配置されるかして、装着や載置の様々な異なる多くの態様をもたらすとともに、異なる角度、異なる面において水平または垂直に表示することができるディスプレイデバイスを提供することである。
【００１４】
この発明の更に別の目的は、表示情報をその背後から照明するために、デバイスの一部として光源を作り込むことができる表示手段を提供することである。
【００１５】
上記の目的を達成するために、冒頭に述べたタイプのデバイスが導入される。この発明の上記デバイスによれば、隣接部材が前版の曲折された両側縁部によって構成される点、および、支持手段が、前板のグリップ縁部と離脱可能に係合するように造形された対向両端部を備える支持部材からなっており、前記支持部材は、前板のグリップ縁部と弾性的なスナップ態様で係合する点に特徴を有する。
【００１６】
この発明の表示手段すなわち表示板は、折り曲げることができるように充分に可撓性を備え、前板の両グリップ縁部の間に導入されるが、同時にまた、前板が両グリップ縁部と前板の内側と間でストレッチされるような表示板となるように硬質な材料で構成しなければならない。そのための適切な材料は、適当な硬さ、および/または透明性、または、所望の色彩効果、またはその他の視覚的または光学的効果を達成する1つのまたは複数の層をなす、紙、ペーパーボード、カードボード、プラスチック材料等で構成しなければならない。
【００１７】
このディスプレイデバイスは、表示しようとする材料から、長時間を経て装着の完了に至るまで、情報材料を自作するために絶好である。材料は、例えば、ＰＣまたはレーザーまたはインクプリンターまたはプロッター等のホームコンピュータ装置によって製造することができる。
【００１８】
この発明は、添付図面を参照しつつ模範具体例について以下に詳細に説明される。
【００１９】
この発明のデバイスは、従来の枠組システムにおける前部ガラス、フレーム、付属固定部材を一体の部材として置換するように設計された前板を有する。図１は、例えば、透明なプラスチック材料からなり、対をなす平行な側縁部２、３の間において一様に曲がった前板１を示す。図１に示すように、これらの両側縁部は、前板内に装着しようとするディスプレイシートすなわち表示板６の隣り合うグリップするために、互いに向き合うグリップ縁部４、５が前板の凹部側に形成されるように、フランジを生じるか曲折される。
【００２０】
これらのグリップ縁部４、５は、前板１の幅全体に沿って、連続して延出してもよく、或いは、その幅の部分毎にのみ沿って延出しても差し支えない。両グリップ縁部の間の距離は、拘束しようとする表示板６の対応する長手方向の距離よりも小さいので、表示板６は隣接側面すなわち前板１の内側面と接する。表示板は、それによって、余分な固定手段を必要とすることなく緊張効果によって定位置に維持される。アーチ状の効果および表示板が前板と向き合い、その背後においてスムースに接するという事実に基づく効果は、メッセージがもし通常の紙シート面に製作されたとしても、綺麗で魅力ある表現を生じる。
【００２１】
図１および図２のＡに示すように、一般的に、前板の湾曲形状が好ましいとしても、前板はそのような形状備えるには及ばない。代替的な断面の輪郭形状が図２のＢ〜図２のＤに示される。このように、図２のＢは、中央の位置８において曲折された前板７を示し、図２のＣは、位置１０、１１の二点において曲折された前板９を示し、図２のＤは、三点１３、１４、１５で曲折された前板１２を示す。図示されるように、これらの具体例において、表示板６は、曲折された部分から或る距離にある前板の大きかったり小さかったりする諸部分によってのみ支持される。
【００２２】
この発明の完全な表示デバイスの第一の具体例が図３、図４に示される。図示のように、このデバイスは、支持手段１９と係合する対向グリップ縁部１７、１８を備える前板１６を有する。支持手段１９は、一般には前板１６のグリップ縁部と離脱可能に係合するように造形または設計された対向端部２０、２１を備える可撓性材料の支持部材から形成され、前記支持部材は、その端部部分が弾性的なスナップ態様で前板のグリップ縁部と係合するように配置される。
【００２３】
図示のように、この具体例における前板１６は、グリップ縁部１７、１８の間の区域においてほぼ一様に湾曲するが、各グリップ縁部から離間した曲折部分２２、２３を備えているので、曲折部分と各グリップ縁部１７、１８の間の区域に、それぞれ通路またはポケット２４、２５が形成され、グリップ縁部の間に固定される表示板２６の大きかったり、小さかったりする関連縁部を受け入れる機能を果たす。前記のポケットは、前板が一様には湾曲されないという事実の結果として生じるので、幅が多少変化する表示板を、表示板の大きさに応じて、その中央部の大きかったり、小さかったりする部分で前板と向かい合って接する態様をなして、グリップ縁部の間に意図する態様で固定することができるという作用を伴う。
【００２４】
図３、４の具体例においては、支持部材１９が、端部２０、２１の間で略Ｕ字状に曲折された弾性的な金属ワイヤーからなる。図３において、金属ワイヤー１９は、グリップ縁部１７、１８の間に固定されるので、それは図示するように、基盤７の面において前板を支持するために、その脚部でそれぞれのグリップ縁部から、例えば略直角をなして突出する。一方図４においては、支持部材は、その脚部が前板１６に沿って延出する位置に置かれるので、支持部材は表示デバイスを壁等の面に吊り下げるための手段として使用することができ、吊り下げ位置においては、前板１６が図４に対して反時計方向に９０度回動される。
【００２５】
図４に見られるように、この具体例における前板のグリップ縁部１７、１８は、金属ワイヤ１９の端部２０、２１を受け入れて、これらを拘束するために、対をなす対向ノッチ部２８、２９を備える。
【００２６】
図５は、前板１が図１の具体例に対応するが、支持手段は、その対向縁部が、前板１のグリップ縁部４、５のそれぞれ一つと適切に係合する互いに平行な側縁部３１、３２である板状部材３０からなる表示デバイスの具体例を示す。この具体例においては、板状部材３０が、グリップ縁部４、５に沿う方向における前板１の幅よりも実質的に小さい幅を有する。
【００２７】
図６のＡ〜Ｃは、支持部材３０が前板１にどのように簡単に、迅速に装着されるかを図示する。図６のＢに示すように、支持部材の下方縁部３２は、グリップ縁部５内に置かれ、支持部材の上部はその後で矢印Ａの方向において多少とも下に向かって押されるので、その上縁部３１は前板の上部グリップ縁部４の真下で内側に来る。この部材３０はその後、跳ね返されるのでその上縁部グリップ縁部４と係合するに到る。支持部材における材料の弾性作用は、この部材がどのような余分なロック手段を必要とすることなく、定位置に保持されることをもたらす。それによって、支持部材の装着と離脱は、工具またはその他のパーツなしで極めて迅速にかつ容易に発生する。
【００２８】
図７は、壁に装着されるのに適した表示デバイスの具体例を示す。このデバイスの前板１は、図１および図５の具体例と対応するが、ここでは支持部材が、ほぼＵ字状断面を持ち、そのウエブ部分が、ピン或いはネジ３４によって装着するための適当な孔を備える装着ブラケット３３によって形成される。突出脚部３５、３６の自由端部は、反対方向に延出し、前板１のグリップ縁部４、５と適切に係合する縁部フランジ３７、３８で形成される。図７のＡ〜Ｄは、前板がどのようにして支持ブラケットに装着されるかを描く。
【００２９】
添付図面に示すように、支持部材は、様々な構造を取ることができ、プラスチック、金属シート、または金属ワイヤー等の異なる弾性剤で構成することができる。その断面は、例えば、弧状、Ｖ字状、Ｕ字状またはこれらの組み合わせでよく、対称であっても非対称であっても差し支えない。いずれにせよ、支持部材は、前板のグリップ縁部と適切に係合し、スナップ態様によって前板に着脱するように変形自在に造形される端部または縁部を備える。
【００３０】
図８、図９は、支持部材の外形例を示し、図８は、弧状の支持部材３９を、図９は、ほぼＵ字状または通路状の支持部材４０を示すが、両部材は多少とも非対称的な形状である。
【００３１】
図１０は、支持部材４１を示し、前記部材はその出発点においては曲折された縁部４２、４３を備えるフラットな可撓性板である。この具体例は、対をなす前板と支持部材がフラットに密着することを可能にする。この図は、支持部材４１がどのように曲折されるか、そして、その両縁部４２、４３とともに前板１のグリップ縁部４、５とどのように移動して係合するかを示す。図に示すように、縁部４２，４３は、支持部材４１の残余部と異なる角度α、βを形成する。αとβを変更することにより、人は支持部材を曲げるときその曲線を変えることができ、それによって、表示デバイスが基盤面に置かれたとき前板が立ち上がる角度を変更することができる。
【００３２】
図示の場合は、角度αは角度βよりも小さく、部材を曲げるとき、角度αは角度βよりも小さい曲率半径を持つ曲線をもたらす。その結果として、支持部材がどのように前板内に挿入されるかに応じて、前板の位置が基盤に関して異なる角度となる非対称形の支持部材を生じる。この点は図１１と図１２に示されており、非対称な支持部材４４が、図１１の第一の位置において前板１内に、および、図１２の支持部材を上下逆にした位置に置かれる。理解されるように、同じ効果は表示デバイス全体を倒置しても得ることができる。
【００３３】
支持部材における材料の可撓性と長さを変更することによって、そして、前記の角度α、βを変更することによって、変形が可能な無数の例が支持部材に関して得られる。支持部材が今よりも一層板状を呈し、グリップ縁部に沿う方向に沿って前板の幅よりも実質的に小さな幅を備える場合は、支持部材は「非対称に」すなわち前板に沿って異なる位置に置くことができる。前板が縁部に配置されるとき、すなわち、先行図例えば図５の配列方向に対して９０度回動して配置されると、前板の傾斜角度は、表示デバイスが基盤上に置かれた場合、支持部材を前板のグリップ縁部に沿って移動させることによって、所望通りに変化させることができる。
【００３４】
前記の変形例は、図１３〜１６に示される。すなわち、図１３は、前板１がエッジ部に置かれる場合、すなわち、前板１が直立グリップ縁部４、５を備え、一つの弧状支持部材４５が両グリップ縁部の中央よりやや下位に置かれた場合の一具体例を示す。図１４は、Ｖ字状の支持部材４６が前板のグリップ縁部の中央よりやや上位に置かれた場合の同様な具体例を示す。図１５、１６は、支持部材４７が、直立前板１の一方の端部に置かれた具体例の側面図を示す。図１５においては、支持部材４７が、グリップ縁部の下端部に置かれるので、支持部材が水平な基盤と対向して接するとき、前板が垂直な位置を占める。図１６においては、支持部材４７が、グリップ縁部の上端部に置かれるので、前板は、ほぼ最大の傾斜を取る。
【００３５】
図１７は、その支持部材４８が前板１と同じ幅を持つ板である表示デバイスの具体例である。支持部材４８は、図９の輪郭と対応する非対称な断面形状に曲げられ、前板のグリップ縁部４、５と適切に係合する曲折縁部４９、５０を備える。支持部材は、適当な固定具によって壁に装着するための(図示しない)孔を備える。
【００３６】
図１７の具体例は、表示板または前板の背後の「メッセージ」の背景照明が必要な場合に光路として用いるのに特に適している。前板１と支持部材４８のアセンブリーは、図１８に分解組立図として示すように、各端部にロック用およびシール用の端部カバー部材５１を備えるので、前板、支持部材および端部カバー部材によって規定される閉じたスペース５２が形成される。この閉じたスペースの内部には、図１９に示すように、例えば、１または２の蛍光管５３の形態をなす光源が装着される。必要な駆動ユニットと電力供給ラインは図示しない。照明された表示板６は図１９に点線で示す。
【００３７】
図１８、１９の光路の設計は屋外アセンブリーに充分適切である。その理由は、支持部材の頂部と底部が端部縁部からなだらかに下方に傾斜し、それによって水滴と水蒸気を前板との連結部から下方に導くので、支持部材の非対称な断面形状が光路の耐雨性に役立つからである。
【図面の簡単な説明】
【図１】  この発明のデバイスにおける前板内の表示板の単純な装着を示す。
【図２】  図２のａ〜ｄは、前板の代替設計物の断面を示す。
【図３】  この発明のデバイスの第１の具体例の側面図。
【図４】  この発明のデバイスの第１の具体例の背面図。
【図５】  図５のａ、ｂは、前板から取り外された板状支持部材、および、前板と係合する板状支持部材の別の具体例の斜視図。
【図６】  図６のａ〜ｃは、装着相の異なる図５の具体例の断面を示す。
【図７】  図７のａ〜ｄは、デバイスの１具体例の断面を示し、この場合、支持部材は壁に装着するように設計される。
【図８】  支持部材の輪郭例の断面を示す。
【図９】  図８と同様な図。
【図１０】  図１０は、最初はフラットであって所望の形状に曲折されて付属の前板と接続する支持部材を備える具体例を示す。
【図１１】  図１１は、デバイスが、第１の傾斜角を有する第１の位置において基盤面に載置される非対称の支持部材を有する図５、６と類似した具体例を示す。
【図１２】  図１２は、デバイスが、第11図とは異なる傾斜角を有する反転位置において基盤面に載置される非対称の支持部材を有する図５、６と類似した具体例を示す。
【図１３】  図１３は、デバイスの異なる具体例を示し、前板が先行具体例に対して９０度回転されるとともに、前板状の支持部材が前板に沿って異なる場所にある。
【図１４】  図１３と同様な図。
【図１５】  図１３と同様な図。
【図１６】  図１３と同様な図。
【図１７】  図１７は、支持部材が、前板と同じ大きさの幅を有する具体例を示す。
【図１８】  図１８は、前板と支持部材が図１７に対応するが、これらが前板の背後において閉じたスペースを形成するために端部カバーと結合される具体例を示す。
【図１９】  図１９は、図１８の具体例の断面を示し、対をなす光源が前板の背後の閉じたスペース内に配置される。
【図１】
0004584459.tif 000002
【図２】
0004584459.tif 000003
【図３】
0004584459.tif 000004
【図４】
0004584459.tif 000005
【図５】
0004584459.tif 000006
【図６】
0004584459.tif 000007
【図７】
0004584459.tif 000008
【図８】
0004584459.tif 000009
【図９】
0004584459.tif 000010
【図１０】
0004584459.tif 000011
【図１１】
0004584459.tif 000012
【図１２】
0004584459.tif 000013
【図１３】
0004584459.tif 000014
【図１４】
0004584459.tif 000015
【図１５】
0004584459.tif 000016
【図１６】
0004584459.tif 000017
【図１７】
0004584459.tif 000018
【図１８】
0004584459.tif 000019
【図１９】
0004584459.tif 000020